(57)【要約】【課題】棚照明において、棚の奥の照度を上げる。  【解決手段】  蛍光ランプが取付けられる器具本体１０と、この器具本体を支え、器具本体と垂直方向に取り付けられる支持部材２０とを備え、器具本体は、支持部材の一部が前記器具本体の長さ方向にスライド移動可能に挿入される凹部を、側面に有する照明器具において、凹部の底面に複数の開口部１４を有し、複数の開口部から蛍光ランプからの光を取り出す。器具本体１０は、蛍光ランプを発光させるための安定器を収納する収納部１２と、蛍光ランプを配置する配置部１３とが隣接して配され、配置部の側面に凹部が設けられている。【選択図】図４
2008311061.tif 000002
【特許請求の範囲】
【請求項１】
複数段の棚のうちの一の棚の下面に配置され、該一の棚の下方向を照明する、陳列棚装置用の照明器具であって、
直線状の蛍光ランプを有し、前記蛍光ランプの長さ方向に対して平行な側面に一又は複数の開口部を有し、該一又は複数の開口部から前記蛍光ランプからの光を取り出してなる照明器具。
【請求項２】
請求項１に記載の照明器具において、前記蛍光ランプが取付けられる器具本体と、該器具本体の長さ方向に対して直角な方向の両側面にブラケットに掛け止めするための掛け止め部材とを有することを特徴とする照明器具。
【請求項３】
請求項１に記載の照明器具において、前記蛍光ランプが取付けられる器具本体と、この器具本体を支え、前記器具本体の長さ方向に対して垂直方向に取り付けられる支持部材とを備え、
前記器具本体は、前記支持部材の一部が前記器具本体の長さ方向にスライド移動可能に挿入される凹部を、側面に有し、
該凹部の底面に前記一又は複数の開口部を有することを特徴とする照明器具。
【請求項４】
請求項３に記載の照明器具において、前記器具本体の長さ方向に対して直角な方向の両側面にブラケットに掛け止めするための掛け止め部材を有することを特徴とする照明器具。
【請求項５】
請求項３又は４に記載の照明器具において、前記器具本体は、前記蛍光ランプを発光させるための安定器を収納する収納部と、前記蛍光ランプを配置する配置部とを隣接して有し、前記配置部の側面に前記凹部が設けられていることを特徴とする照明器具。
【請求項６】
請求項１に記載の照明器具において、直線状の蛍光ランプが取付けられる器具本体と、この器具本体を器具本体の側面側から支持する支持部材とを備え、
前記器具本体は、前記蛍光ランプを発光させるための安定器を収納する収納部と、前記蛍光ランプを配置する配置部とを隣接して有し、前記配置部は前記支持部材の配置側に配されてなり、
前記配置部の側面に前記一又は複数の開口部を有することを特徴とする照明器具。
【請求項７】
請求項１から６のいずれか１項に記載の照明器具を用いた陳列棚装置。
【発明の詳細な説明】
【技術分野】
【０００１】
本発明は照明器具及びそれを用いた陳列棚装置に係わり、特に、複数段の棚のうちの一の棚の下面に配置され、該一の棚の下段の棚を照明する、陳列棚装置用の照明器具及びそれを用いた陳列棚装置に関する。
【背景技術】
【０００２】
陳列棚装置の棚照明に用いる照明器具としては、例えば、特許文献１にその構成が記載されている。
【０００３】
図１１は棚照明装置用の照明器具の構成を示す説明図、図１２は照明器具を支柱に取り付けた状態を示す図である。
【０００４】
図１１において、１０１は蛍光ランプが取付けられた器具本体、１０２ａ，１０２ｂは器具本体１０１を支える腕受具で、器具本体１０１の側面に設けられた凹部（溝）について器具本体１０１の長手方向（長さ方向）にスライド可能となっている。腕受具１０２ａ，１０２ｂの間隔は図１２の支柱１０６ａ，１０６ｂの間隔（ブラケット１０５ａ，１０５ｂの間隔ともなる）に合わせて設定される。
【０００５】
また、１０３ａ，１０３ｂは棚ストッパーであり、図１２の棚１０８の位置を設定するためのものである。１０４ａ，１０４ｂは断面が「コ」の字状の腕部材であり、その端部に腕受具１０２ａ，１０２ｂの先端部が挿入されて固定されるとともに、ブラケット１０５ａ，１０５ｂに掛けられ固定されるようになっている。ブラケット１０５ａ，１０５ｂは図１２に示すように、それぞれ支柱１０６ａ，１０６ｂの所定の位置に取付けられる。１０７は器具本体１０１を電源と電気的接続するための配線であり、支柱と平行に設けられたコンセントに接続される。図１２では棚は一段示されているが、実際は、棚は２段以上の複数段設けられており、棚の下面に設けられた照明器具は棚の下方向（下段の棚上や台上）を照明する。
【０００６】
この構成の照明器具は棚下に安定器、蛍光ランプの順に配される構成となっているので、照明器具の棚下の長さが大きくなる。
【０００７】
それに対して、安定器と蛍光ランプとを棚に対して平行に配置する構成が特許文献２に開示されている。この構成は、図１１、図１２に示した構成に比べて、照明器具の棚下の長さを短くできる利点がある。
【特許文献１】特開平１０−５０１３８号公報（公報の図７、図８）
【特許文献２】特開平７−２４０１１４号公報（公報の図７）
【発明の開示】
【発明が解決しようとする課題】
【０００８】
ところで、特許文献２（公報の図７）に開示された、安定器と蛍光ランプとを棚に対して平行に配置する構成の照明器具においては、蛍光ランプが取り付けられた器具本体は蛍光ランプ下の棚上は照度が高いが、棚奥方向では照度が低下する課題がある。
【０００９】
なお、棚上で照度差が生ずる課題は、安定器と蛍光ランプとを棚に対して平行に配置する構成の照明器具に限らず、蛍光ランプからの光が、カバーや器具本体の側面で遮られて、棚の奥方向に照射されにくい構成の照明器具に共通の課題である。
【課題を解決するための手段】
【００１０】
本発明の照明器具は、複数段の棚のうちの一の棚の下面に配置され、該一の棚の下段の棚を照明する、陳列棚装置用の照明器具であって、
直線状の蛍光ランプを有し、前記蛍光ランプの長さ方向に対して平行な側面に一又は複数の開口部を有し、該一又は複数の開口部から前記蛍光ランプからの光を取り出してなる照明器具である。
【発明の効果】
【００１１】
本発明によれば、器具本体の側面の開口部から蛍光ランプからの光を取り出すことができるので、棚上の照度差を軽減することができる。
【発明を実施するための最良の形態】
【００１２】
以下、本発明の実施形態について図面を用いて説明する。
【００１３】
図１は本発明の一実施形態の、陳列棚装置に用いる照明器具の構成を概略的に示した斜視図である。図２は本実施形態の陳列棚装置を示す構成図、図３は比較例となる陳列棚装置を示す構成図である。
【００１４】
図１に示す照明器具の器具本体８１は、断面が「コ」の字状をなす箱形形状である。ただし、このような形状に限定されず、例えば断面は「Ｕ」字状であっても、全体形状は器具本体の長さ方向と垂直な一又両方の側面８１ｂはなくてもよい。器具本体８１内に蛍光ランプ９１が配置されて照明器具が構成される。照明器具の一側面８１ａには複数の開口部８２が設けられ、蛍光ランプ９１からの光が取り出される。
【００１５】
図２に示されるように、陳列棚装置９４には台上に３つの棚９３が設けられる。ただし、棚の数は２以上であればよく、３つに限定されない。照明器具を陳列棚装置９４の棚９３の下面に取り付け、下段の棚９３の上や台上を照明する。ここでは図示されていないが、棚上や台上には商品や展示品が載せられている。
【００１６】
図２に示すように、商品や展示品が陳列棚装置９４の前から見やすく、直接照明が目に入らないように、照明器具は棚の中央から前に配置されていることが多い。図３に示すように、比較例として示した複数の開口部を有しない器具本体９５では、照明器具の直下は明るいが陳列棚装置の背面側では図３に示すように、棚９３上の照度が低い領域９６が生じてしまう。一方、本実施形態では照明器具の一側面８１ａに複数の開口部８２を設けているので、開口部８２から光を取り出し、図３の領域９６のような陳列棚装置の背面側に光が照射できる。器具本体の側面８１ａに設ける開口部８２は特に複数でなくてもよく、１つであってもよいが、開口部が１つの場合、機械的強度が低下するため、複数設けることが望ましい。
【００１７】
本実施形態において、棚の背面側から照明器具が視認できる構成とすれば、開口部８２を通して蛍光ランプ９１の発光状態や電極近傍の黒化状態が確認できるので、蛍光ランプ９１の交換時期を容易に判断することができる。このような開口部８２がない場合には、器具本体の下側から蛍光ランプの発光状態や電極近傍の黒化状態を観察することになるが、下の段の棚に配置された照明器具ではより低い位置から見上げる必要があるので観察は容易ではない。
【００１８】
なお、陳列棚装置によっては、照明器具を棚の奥に配置する場合もあり、この場合は、図１の側面８１ａと対向する側面に開口部８２を設けて棚の前を照明することができる。
【００１９】
以上説明した照明器具を取り付ける陳列棚装置の構成は特に限定されず、図１１及び図１２に示すようにブラケットに照明器具と棚が配置される場合もある。
【００２０】
以下、本発明の照明器具の実施例について説明する。
【００２１】
以下の実施例では、安定器を収納する収納部を設けているが、上述した実施形態のように収納室はなくてもよい。
【実施例１】
【００２２】
図４は本発明の第１の実施例に係わる照明器具の構成を概略的に示した分解図である。図５は開口部を含むように切断された器具本体の断面図である。図６はブラケットに照明器具を取り付けた状態を示す図である。図７は器具本体１０を下から見た図である。ここでは、本実施例の照明器具を図１２に示したような棚照明用に用いた場合について説明する。既に説明したように、図１２では棚は１段のみ示されているが、実際は、棚は２段以上の複数段設けられており、棚下に設けられた照明器具は棚の下方向の下段の棚上や図２に示す台上を照明する。なお、図４〜図７は照明器具の構成を概略的に示したもので、器具本体や支持部材の長さ、幅、比率等は実際の製品形態を示すものではない。
【００２３】
器具本体１０は、フレーム部１１と、フレーム部１１によって形成される、直線状の蛍光ランプ３０を発光させるための安定器を収納する収納部１２と、収納部１２に隣接する、蛍光ランプを配置する配置部１３とを有する。
【００２４】
器具本体１０の収納部１２には安定器を収納している。収納部１２は器具本体１０の長さと同じでもよいが、安定器を収納できればよいので、器具本体の長さよりも短くてもよい。
【００２５】
器具本体１０の配置部１３には図７に示すように、蛍光ランプのソケット５０が配され、蛍光ランプが取り付け可能となっている。電源からの配線は収納部１２の安定器に接続され、さらに器具本体内で安定器とソケット５０とが配線接続される。
【００２６】
器具本体１０は、器具本体１０の長手方向（長さ方向）に対して垂直方向に取り付けられる支持部材２０で支えられて、図６に示すブラケット４０に取り付けられる。ブラケット４０は図１２のブラケット１０５ａ、１０５ｂと同様に支柱に取り付けられる。なお、図４及び図６では支持部材２０、ブラケット４０はそれぞれ一つ示されているが、図１１の構成と同様に支持部材２０、ブラケット４０はそれぞれ２つ設けられ、２つの支持部材２０で器具本体１０を支持する。
【００２７】
支持部材２０は「Ｔ」字をなし、「Ｔ」字状部の根本の「Ｉ」字状部分２１は断面が「コ」字状をなし、ブラケット４０に載置可能となっている。「Ｔ」字状部の先端（支持部材の一部）の「−」状の平板部分２２は、器具本体１０の断面が「Ｃ」字状の長尺の凹部（溝）１６に挿入される。平板部分２２の一方の端部は不図示のくびれ部を介して折り返されている。２２ａは折り返し部を示す。折り返し部２２ａを除く平板部分は凹部１６内に挿入され、折り返し部２２ａは凹部外に配される。折り返し部２２ａを除く平板部分は、凹部１６内でスライド移動可能で、ブラケット４０の配置間隔に合わせて配置される。そして、ネジ２４により、折り返し部２２ａを締め付けることで平板部分２２が凹部１６内で固定される。「Ｃ」字状の長尺の凹部１６は配置部１３の側面に設けられる。支持部材２０はネジ２３でブラケット４０に固定される。
【００２８】
器具本体１０の「Ｃ」字状の長尺の凹部（溝）１６の底面には複数の開口部１４が設けられており、これらの開口部１４から蛍光ランプからの光が取り出し可能となっている。凹部１６の底面に設けられた開口部１４から光を照射できるので、図１２に示した棚の奥の照度を上げることができる。また、棚の奥側から照明器具が視認できる構成とすれば、開口部１４を通して蛍光ランプの発光状態や電極近傍の黒化状態が確認できるので、蛍光ランプの交換時期を容易に判断することができる。このような開口部１４がない場合には、器具本体の下側から蛍光ランプの発光状態や電極近傍の黒化状態を観察することになるが、下の段の棚に配置された照明器具ではより低い位置から見上げる必要があるので観察は容易ではない。
【００２９】
凹部１６の底面の開口部の数は、本実施例では３つ設けられているが、その数は任意に設けられる。また開口部の形状も特に限定されるものではなく、円形や楕円形の開口部を複数設けることもできる。
【００３０】
なお、本実施例では、支持部材を器具本体とブラケットとに取り付ける構成となっているが、図１１に示すように支持部材を腕受具（腕受部材）と腕部材とに分離してもよい。
【００３１】
また、支持部材は図１に示した構成に限られず、図８に示すようにブラケット４０に穴又は突起部を設け（ここではブラケットの穴を設けた場合を示す）、穴に入り込む爪又は突起部が入り込む穴（ここでは爪７３を設けた場合を示す）を先端に有する支持部材７０を用いてもよい。
【００３２】
図８の構成例では、支持部材７０は「Ｌ」字をなし、「Ｌ」字状部の一部の「Ｉ」字状部分７１は断面が「コ」字状をなし、その端部は先が尖がるように伸びている。その先が尖った部分に爪７３を有し、その爪７３をブラケットの穴に挿入し、支持部材７０をブラケット４０に載置することで、支持部材７０がブラケット４０に取り付けられる。「Ｌ」字状部の他の「−」字状部分７２は、図１と同様に、器具本体の断面が「Ｃ」字状の長尺の凹部（溝）に挿入される。「−」字状部分７２の一方の端部は不図示のくびれ部を介して折り返されている。
【００３３】
以上支持部材の例を挙げて説明したが、支持部材の構成は特に本実施例の構成に限定されない。
【実施例２】
【００３４】
図９は本発明の第２の実施例に係わる照明器具の構成を概略的に示した斜視図である。本実施例の構成の第１の実施例の構成との違いは、支持部材によりブラケットに取り付けるのではなく、器具本体の長さ方向に対して直角な方向の両側面にブラケットに掛け止めするための掛け止め部材となるフック部材６３を設けて、このフック部材６３の先端のフック６４により器具本体６０をブラケット４０に取り付けている点である。フック部材はネジ６５でブラケット４０に固定される。フック部材６３は器具本体の長さ方向に自由に引き出し可能、収納可能となっており、ブラケットの間隔に合わせて照明器具がブラケットが取り付け可能となっている。６１はフレーム部を示す。
【００３５】
したがって、器具本体６０には第１の実施例で示したような支持部材２０，７０は取り付けられず、開口部６２が蛍光ランプの長さ方向に対して平行な側面に設けられている。この開口部６２から図２と同様に蛍光ランプからの光が取り出し可能となり、棚の奥の照度を上げることができる。また、棚の奥側から照明器具が視認できる構成とすれば、開口部６２を通して蛍光ランプの発光状態や電極近傍の黒化状態が確認できるので、蛍光ランプの交換時期を容易に判断することができる。そして、本実施例では、支持部材２０，７０は取り付ないので、支持部材で開口部からの光が遮光されることはない。
【実施例３】
【００３６】
図１０は本発明の第３の実施例に係わる照明器具の構成を概略的に示した斜視図である。図１０に示すように、第１の実施例の構成と第２の実施例の構成とを組み合わせて、図４に示す「Ｃ」字状の長尺の凹部（溝）１６を照明器具の側面に設けて、フック部材６３と支持部材２０とのいずれかをブラケットに取り付け可能な構成としている。図１０では、凹部１６を図示するために側板６６を切り欠いて示している。
【００３７】
以上本発明に係わる各実施例について説明したが、本発明に係わる照明器具が図４〜図１０を用いて説明した照明器具に限定されるものではない。本発明の技術的思想は、器具本体の側面に開口部を設けることで、より蛍光ランプからの光を効率的に取り出すものなので、第１及び２の実施例における支持部材の形状や支持方式は他の形状や支持方式を採用してもよい。
【００３８】
また以上説明した実施例ではブラケットに照明器具と棚が配置されているが、棚に直接ネジやビスを用いて照明器具を取り付けることもできる。さらに、収納室１２、配置部１３、凹部（溝）１６の形状は特に本実施例の形状に限定されるものではない。
【００３９】
また、各実施形態は、安定器を収納する収納部と、収納部１２に隣接する、蛍光ランプを配置する配置部とを有する照明器具について説明したが、安定器は必ずしも照明器具内に設ける必要はなく、図１１に示すブラケットや支柱に取り付けることもできる。そして、本発明はかかる構成にも適用可能であることは勿論である。
【産業上の利用可能性】
【００４０】
本発明は複数段の棚照明に用いる照明器具に用いることができる。
【図面の簡単な説明】
【００４１】
【図１】本発明の一実施形態の、陳列棚装置に用いる照明器具の構成を概略的に示した斜視図である。
【図２】本実施形態の陳列棚装置を示す構成図である。
【図３】比較例となる陳列棚装置を示す構成図である。
【図４】本発明の第１の実施例に係わる照明器具の構成を概略的に示した分解図である。
【図５】開口部を含むように切断された器具本体の断面図である。
【図６】ブラケットに照明器具を取り付けた状態を示す図である。
【図７】器具本体１０を下から見た図である。
【図８】本発明の第１の実施例に係わる支持部材の他の構成を示す図である。
【図９】本発明の第２の実施例に係わる照明器具の構成を概略的に示した斜視図である。
【図１０】本発明の第３の実施例に係わる照明器具の構成を概略的に示した斜視図である。
【図１１】従来の棚照明用の照明器具の構成を示す説明図である。
【図１２】照明器具を支柱に取り付けた状態を示す図である。
【符号の説明】
【００４２】
１０  器具本体
１１  フレーム部
１２  収納部
１３  配置部
１４  開口部
１６  凹部
２０  支持部材
３０  蛍光ランプ
４０  ブラケット
６０  器具本体
７０  支持部材
【図１】
2008311061.tif 000003
【図２】
2008311061.tif 000004
【図３】
2008311061.tif 000005
【図４】
2008311061.tif 000006
【図５】
2008311061.tif 000007
【図６】
2008311061.tif 000008
【図７】
2008311061.tif 000009
【図８】
2008311061.tif 000010
【図９】
2008311061.tif 000011
【図１０】
2008311061.tif 000012
【図１１】
2008311061.tif 000013
【図１２】
2008311061.tif 000014